(57)【要約】【課題】データに対するセキュリティを向上させつつ、携帯端末装置とのデータ送受信を行う際のユーザの使い勝手を向上させるようにする。【解決手段】通信接続端子及び端子情報を記憶するＲＦＩＤタグ１２０を有する携帯可能な外部メモリ１の通信接続端子と適合する通信接続端子を有する外部メモリ用Ｉ／Ｆ２７１、ＲＦＩＤタグ１２０から端子情報を取得するＲＦＩＤリーダ／ライタ２６０、端子情報の取得の可否に基づいて外部メモリ１と携帯端末装置３との通信許可を判別するＣＰＵ２００、当該通信許可の判別結果を携帯端末装置３に送信する携帯端末用Ｉ／Ｆ２８０、取得された端子情報に応じて外部メモリ用Ｉ／Ｆ２７１が有する通信接続端子の端子情報を変更する切替部２７２、を有する携帯端末接続装置２。【選択図】図２
2008065615.tif 000002
【特許請求の範囲】
【請求項１】
通信接続端子と、当該通信接続端子に関する端子情報が記憶されたＲＦＩＤタグとを有する携帯可能な外部メモリの前記通信接続端子に適合する通信接続端子を有する外部メモリ接続手段と、
前記外部メモリの前記ＲＦＩＤタグから前記端子情報を取得する情報取得手段と、
前記情報取得手段による前記端子情報の取得の可否に基づいて、前記外部メモリと携帯端末装置との通信許可を判別する判別手段と、
前記情報取得手段により前記端子情報が取得された場合、前記外部メモリ接続手段が有する通信接続端子に関する端子情報を前記情報取得手段により取得された前記端子情報に応じて変更する変更手段と、
前記判別手段による判別結果を前記携帯端末装置に送信する携帯端末接続手段と、
を備える携帯端末接続装置。
【請求項２】
前記外部メモリの前記ＲＦＩＤタグは、当該外部メモリを個別に識別するための識別情報を記憶し、
前記情報取得手段は、前記識別情報を取得し、
前記携帯端末接続手段は、前記情報取得手段により取得された識別情報を携帯端末装置に送信することを特徴とする請求項１記載の携帯端末接続装置。
【請求項３】
前記携帯端末装置が前記携帯端末接続装置に接続可能な位置に配置されているか否かを示す配置情報を検出する検出手段と、
前記検出手段により検出された前記配置情報と、前記情報取得手段による前記識別情報の取得の可否とに基づいて、前記携帯端末装置の盗難を判別する盗難判別手段と、
前記盗難判別手段による判別結果に基づいて警報を報知する報知手段と、
を更に備えることを特徴とする請求項２記載の携帯端末接続装置。
【請求項４】
前記盗難判別手段による判別結果に基づく警報情報を、前記携帯端末装置を統括的に管理する上位装置に送信する上位装置接続手段を更に備えることを特徴とする請求項３記載の携帯端末接続装置。
【請求項５】
通信接続端子と、
前記通信接続端子に関する端子情報が記憶されたＲＦＩＤタグと、
を有する携帯可能な外部メモリと、
前記外部メモリの前記通信接続端子に適合する通信接続端子を有する外部メモリ接続手段と、
前記外部メモリの前記ＲＦＩＤタグから前記端子情報を取得する情報取得手段と、
前記情報取得手段による前記端子情報の取得の可否に基づいて、前記外部メモリと携帯端末装置との通信許可を判別する判別手段と、
前記情報取得手段により前記端子情報が取得された場合、前記外部メモリ接続手段が有する通信接続端子に関する端子情報を前記情報取得手段により取得された前記端子情報に応じて変更する変更手段と、
前記判別手段による判別結果を前記携帯端末装置に送信する携帯端末接続手段と、
を有する携帯端末接続装置と、
前記携帯端末接続装置の前記判別手段による前記端子情報の取得の可否に基づく通信許可の判別結果に基づいて、前記外部メモリとの通信を行う通信制御手段を有する前記携帯端末装置と、
を備える通信システム。
【請求項６】
前記外部メモリにおいて、
前記ＲＦＩＤタグは、前記外部メモリを個別に識別するための識別情報を記憶し、
前記携帯端末接続装置において、
前記情報取得手段は、前記識別情報を取得し、
前記携帯端末接続手段は、前記情報取得手段により取得された識別情報を前記携帯端末装置に送信し、
前記携帯端末装置において、
前記通信制御手段は、前記携帯端末接続装置から送信された前記識別情報に基づいて、前記外部メモリとの通信を行うことを特徴とする請求項５記載の通信システム。
【請求項７】
前記携帯端末接続装置は、
前記携帯端末装置が前記携帯端末接続装置に接続可能な位置に配置されているか否かを示す配置情報を検出する検出手段と、
前記検出手段により検出された前記配置情報と、前記情報取得手段による前記識別情報の取得の可否とに基づいて、前記携帯端末装置の盗難を判別する盗難判別手段と、
前記盗難判別手段による判別結果に基づいて警報を報知する報知手段と、
を更に有することを特徴とする請求項６記載の通信システム。
【請求項８】
前記携帯端末接続装置は、前記盗難判別手段による判別結果に基づく警報情報を、前記携帯端末装置を統括的に管理する上位装置に送信する上位装置接続手段を更に有することを特徴とする請求項７記載の通信システム。
【発明の詳細な説明】
【技術分野】
【０００１】
本発明は、携帯端末装置を外部の装置と接続させて通信を行わせる携帯端末接続装置及び通信システムに関する。
【背景技術】
【０００２】
近年、パームサイズＰＣ（Palm-size PC）やＰＤＡ（Personal Digital Assistants）、ハンディターミナル等の携帯端末装置が普及しており、この携帯端末装置とＰＣ等の外部機器やネットワークとの通信接続の中継を行ったり、当該携帯端末装置を充電させたりするクレードルと呼ばれる携帯端末接続装置が知られている。
【０００３】
例えば、携帯端末接続装置として、携帯端末装置と赤外発光信号による通信を行う赤外通信手段（赤外送受光部１３ａ）と、外部装置との接続端子としての複数種類の通信手段（ＵＳＢ接続端子やＲＳ２３２Ｃ接続端子）と、携帯端末装置とのデータ信号を通信手段によって外部装置と接続する構成とし、外部装置との接続検出状態に基づいて複数種類の通信手段の使用可能情報を携帯端末装置へ通知する通信種類通知手段と、を備えるインターフェイス装置が開示されている（特許文献１参照）。
【特許文献１】特開２００１−１４２８３７号公報
【発明の開示】
【発明が解決しようとする課題】
【０００４】
しかしながら、従来の携帯端末接続装置は、通信ケーブルを介して携帯端末装置と外部装置とのデータ送受信を行うため、ユーザは携帯端末接続装置及び外部装置に通信ケーブルを接続しなくてはならず、この通信ケーブルの接続作業がユーザにとって煩雑な作業となり、また、通信ケーブルを用いてデータの送受信を行うため、通信プロトコルに起因してデータ送受信に要する時間がかかり、ユーザにとって使い勝手もよいものではない。
【０００５】
更に、携帯端末装置と外部装置との間で送受信されるデータが個人情報等の重要度の高いデータである場合、データ送受信を行う場合における操作に関するセキュリティ機能が無いため、不特定のユーザによってデータが取得されてしまう恐れがある。また、携帯端末接続装置が携帯端末装置に充電を行っている場合は、携帯端末装置が携帯端末接続装置に充電可能に接続された位置に配置されているにすぎず、携帯端末装置が容易に持ち出される危険性があり、持ち出された携帯端末装置からデータが盗まれるという恐れがある。
【０００６】
本発明の課題は、データに対するセキュリティを向上させつつ、携帯端末装置とのデータ送受信を行う際のユーザの使い勝手を向上させるようにすることである。
【課題を解決するための手段】
【０００７】
請求項１記載の発明は、通信接続端子と、当該通信接続端子に関する端子情報が記憶されたＲＦＩＤタグとを有する携帯可能な外部メモリの前記通信接続端子に適合する通信接続端子を有する外部メモリ接続手段と、前記外部メモリの前記ＲＦＩＤタグから前記端子情報を取得する情報取得手段と、前記情報取得手段による前記端子情報の取得の可否に基づいて、前記外部メモリと携帯端末装置との通信許可を判別する判別手段と、前記情報取得手段により前記端子情報が取得された場合、前記外部メモリ接続手段が有する通信接続端子に関する端子情報を前記情報取得手段により取得された前記端子情報に応じて変更する変更手段と、前記判別手段による判別結果を前記携帯端末装置に送信する携帯端末接続手段と、を備えることを特徴としている。
【０００８】
請求項５記載の発明は、通信接続端子と、前記通信接続端子に関する端子情報が記憶されたＲＦＩＤタグと、を有する携帯可能な外部メモリと、前記外部メモリの前記通信接続端子に適合する通信接続端子を有する外部メモリ接続手段と、前記外部メモリの前記ＲＦＩＤタグから前記端子情報を取得する情報取得手段と、前記情報取得手段による前記端子情報の取得の可否に基づいて、前記外部メモリと携帯端末装置との通信許可を判別する判別手段と、前記情報取得手段により前記端子情報が取得された場合、前記外部メモリ接続手段が有する通信接続端子に関する端子情報を前記情報取得手段により取得された前記端子情報に応じて変更する変更手段と、前記判別手段による判別結果を前記携帯端末装置に送信する携帯端末接続手段と、を有する携帯端末接続装置と、前記携帯端末接続装置の前記判別手段による前記端子情報の取得の可否に基づく通信許可の判別結果に基づいて、前記外部メモリとの通信を行う通信制御手段と、を有する前記携帯端末装置と、を備えることを特徴としている。
【発明の効果】
【０００９】
請求項１記載の発明によれば、通信ケーブルを介さずに携帯端末装置と外部装置としての外部メモリとが接続されるため、ユーザにとって煩雑な作業であった通信ケーブルの接続作業が必要なくなり、通信プロトコルに起因するデータ送受信に要する時間も低減されると共に、通信接続端子の形状が携帯端末接続装置の通信接続端子の形状と適合する外部メモリであっても、端子情報を有する外部メモリのみ携帯端末装置との通信許可が得られることから、携帯端末装置内のデータが不特定の外部メモリに送信されることを防止できると共に、データに対するセキュリティを向上させつつ、携帯端末装置とのデータ送受信を行う際のユーザの使い勝手を向上させることができる。
【００１０】
請求項５記載の発明によれば、通信ケーブルを介さずに携帯端末装置と外部装置としての外部メモリとが接続されるため、ユーザにとって煩雑な作業であった通信ケーブルの接続作業が必要なくなり、通信プロトコルに起因するデータ送受信に要する時間も低減されると共に、通信接続端子の形状が携帯端末接続装置の通信接続端子の形状と適合する外部メモリであっても、端子情報を有する外部メモリのみ携帯端末装置との通信許可が得られることから、携帯端末装置内のデータが不特定の外部メモリに送信されることを防止できると共に、通信許可の判別結果に基づいて、携帯端末装置は携帯端末接続装置を介して外部メモリとの通信を行うことができ、データに対するセキュリティが向上させつつ、携帯端末装置とのデータ送受信を行う際のユーザの使い勝手を向上させることができる。
【発明を実施するための最良の形態】
【００１１】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００１２】
以下、図１〜６を参照して本発明の実施の形態を詳細に説明する。
まず、構成を説明する。
図１（ａ），（ｂ）は、本実施の形態における通信システムＡの概観イメージ図である。詳しくは、図１（ａ）は、携帯端末接続装置２及び携帯端末装置３の概観斜視イメージ図であり、図１（ｂ）は、携帯端末接続装置２の概観背面イメージ図と、外部メモリ１及び管理ＰＣ４との接続関係を示す概観イメージ図である。
図１（ａ），（ｂ）に示すように、通信システムＡは、外部メモリ１、携帯端末接続装置２、携帯端末装置３、複数の携帯端末装置３を統括的に管理する上位装置としての管理ＰＣ４を備えて構成されている。
【００１３】
外部メモリ１は、携帯端末接続装置２の通信接続端子と適合可能な通信接続端子を有し、携帯端末接続装置２に対してデータの消去及び書き込みを自由に行うことができる不揮発性の携帯可能な記憶媒体である。
【００１４】
携帯端末接続装置２は、携帯端末装置３を収納し、携帯端末装置３と他の装置（外部メモリ１又は管理ＰＣ４）との両方を確認しながら情報通信を行う装置であり、クレードルと称される装置である。
携帯端末接続装置２は、携帯端末装置３を着脱自在に収納する端末収納部２１を有し、端末収納部２１における携帯端末装置３との当接部分には、携帯端末装置３が携帯端末接続装置２に充電及び通信接続可能な位置に配置されているか否かを示す配置情報を検出する検出手段としての端末接続検出部２４０が設けられている。また、携帯端末接続装置２の正面には、後述するＣＰＵ２００からの指示に応じて鳴音するブザー２３０が設けられている。
【００１５】
更に、携帯端末接続装置２の背面には、商用電源等の外部の電源と接続される電源アダプタ２２と、外部メモリ１の通信接続端子と適合する通信接続端子を有する外部メモリ接続手段としての外部メモリ用Ｉ／Ｆ２７１と、管理ＰＣ４と通信接続するための通信接続端子を有する上位装置接続手段としての管理ＰＣ用Ｉ／Ｆ２９０とが設けられている。
【００１６】
携帯端末装置３は、通信機能を有する携帯型の電子機器であり、例えば、ＰＤＡ（Personal Digital Assistant）やハンディターミナルであり、前面に表示部３３０及び入力部３４０が設けられている。
【００１７】
図２は、通信システムＡを構成する各装置の制御ブロック構成図である。
図２に示すように、通信システムＡは、携帯端末接続装置２を中心として、携帯端末接続装置２が、外部メモリ１、携帯端末装置３、管理ＰＣ４と個別的に通信可能な構成である。
【００１８】
外部メモリ１は、ＣＰＵ（Central Processing Unit）１００、ＦＲＯＭ（Ｆlash Read Only Memory）１１０、ＲＦＩＤ（Radio Frequency Identification）タグ１２０、Ｉ／Ｆ１３０を備え、各部は電気的に接続されている。
【００１９】
ＣＰＵ１００は、Ｉ／Ｆ１３０により受信された信号に応じて、ＦＲＯＭ１１０内に記憶される各種データの制御を行う。
【００２０】
ＦＲＯＭ１１０は、電気的に消去及び書き換え可能な不揮発性の記憶媒体である。なお、電気的に消去及び書き換え可能な不揮発性の記憶媒体であれば、ＦＲＯＭに限らない。
【００２１】
ＲＦＩＤタグ１２０は、Ｉ／Ｆ１３０が有する通信接続端子に関する端子情報及び当該ＲＦＩＤタグ１２０を有する外部メモリ１を識別するための識別情報を記憶したメモリを有するＩＣチップとアンテナコイルとを備えており、携帯端末接続装置２から供給される誘導電磁界又は電波により生じる電力供給に応じて、メモリに記憶されている端子情報又は識別情報を当該携帯端末接続装置２に送信する無電池型のパッシブタグである。なお、ＲＦＩＤタグという表現は、無線ＩＣタグの一例を示すものであり、電子タグ、ＩＣタグ、無線ＩＣチップという表現と同じ意味である。
【００２２】
端子情報とは、Ｉ／Ｆ１３０が有する通信接続端子の各端子（各ピン）に対応付けられた信号の種類や当該信号の入出力の設定を示す情報、いわゆるコネクタ仕様である。
【００２３】
識別情報とは、外部メモリ１毎に予め設定された情報であり、他の外部メモリと識別可能な情報であればよく、例えば、外部メモリ１毎に当該外部メモリを所有するユーザが定められている場合には、外部メモリ１を所有するユーザの識別番号であってもよい。
【００２４】
なお、本実施の形態においては、電源部を有さずに非接触で携帯端末接続装置２に端子情報又は識別情報を送信可能な構成であれば、ＲＦＩＤタグ１２０の構成に限らない。
【００２５】
Ｉ／Ｆ１３０は、携帯端末接続装置２の通信接続端子の形状と適合する通信接続端子を有し、携帯端末接続装置２と通信を行うための通信制御を行う。
【００２６】
次に、携帯端末接続装置２について説明する。携帯端末接続装置２は、ＣＰＵ２００、ＲＯＭ（Read Only Memory）２１０、ＲＡＭ（Random Access Memory）２２０、ブザー２３０、端末接続検出部２４０、電力供給接点部２５０、ＲＦＩＤリーダ／ライタ２６０、外部メモリ用Ｉ／Ｆ２７１、切替部２７２、携帯端末用Ｉ／Ｆ２８０、管理ＰＣ用Ｉ／Ｆ２９０を備え、各部は電気的に接続されており、電源アダプタ２２を介して外部の電源から供給された電力又は電源２０からの電力供給を受けている。
【００２７】
ＣＰＵ２００は、ＲＯＭ２１０に記憶されている各種プログラムや各種データの中から指定されたプログラムやデータを読み出し、ＲＡＭ２２０内のワークエリアに展開し、上記プログラムとの協働によって各種処理を実行し、その処理結果をＲＡＭ２２０の所定の領域に格納するとともに、各部に創始して携帯端末接続装置２の動作全般を統括的に制御する。
【００２８】
またＣＰＵ２００は、ＲＦＩＤリーダ／ライタ２６０による端子情報の取得の可否に基づいて、外部メモリ１と携帯端末装置３との通信許可を判別する判別手段と、ＲＦＩＤリーダ／ライタ２６０により端子情報が取得された場合、外部メモリ用Ｉ／Ｆ２７１が有する通信接続端子の端子情報を取得した端子情報に応じて切替部２７２により変更させる変更手段としての機能を実現する。
【００２９】
例えば、切替部２７２による外部メモリ用Ｉ／Ｆ２７１が有する通信接続端子の端子情報の変更は、外部メモリ用Ｉ／Ｆ２７１が有する通信接続端子の端子情報が１番ピンがＳＤ、２番ピンがＲＤ、３番ピンがＧＮＤ・・・であり、外部メモリ１から取得した端子情報が１番ピンがＲＳ、２番ピンがＧＮＤ、３番ピンがＲＤ・・・である場合、外部メモリ用Ｉ／Ｆ２７１が有する通信接続端子の端子情報を外部メモリ１から取得した端子情報に応じて、１番ピンをＳＤからＲＳ、２番ピンをＲＤからＧＮＤ、３番ピンをＧＮＤからＲＤ・・・に変更する。
【００３０】
更に、ＣＰＵ２００はＲＦＩＤリーダ／ライタ２６０により取得された識別情報を携帯端末用Ｉ／Ｆ２８０により携帯端末装置３に送信させる機能を実現する。
【００３１】
また、ＣＰＵ２００は、端末接続検出部２４０により検出された後述する配置情報と、識別情報の取得の可否とに基づいて、携帯端末装置３の盗難を判別する盗難判別手段、当該盗難の判別結果に基づく警報情報を管理ＰＣ用Ｉ／Ｆ２９０により管理ＰＣ４に送信させる機能を実現する。
【００３２】
管理ＰＣ４に送信される警報情報は、例えば、携帯端末接続装置２に収納されていた携帯端末装置３が不正に持ち出された恐れ（盗難された恐れ）がある旨を示す情報である。
【００３３】
ＲＯＭ２１０は、ＣＰＵ２００により実行される各種プログラムや各種プログラムの実行に必要なパラメータや各種データを記憶している。なお、ＲＯＭ２１０は読出し専用の記憶媒体であれば良く、磁気的、光学的記憶媒体又は半導体メモリで構成されていても良い。
【００３４】
ＲＡＭ２２０は、ＣＰＵ２００により実行される各種プログラム及びこれらプログラムに係わるパラメータやデータを一時的に記憶するワークエリアを形成する。
【００３５】
ブザー２３０は、ＣＰＵ２００からの指示に基づいて警報を示す音を鳴音し、ユーザに報知する報知手段としての機能を実現する。
【００３６】
端末接続検出部２４０は、携帯端末装置３が携帯端末接続装置２に充電及び通信接続可能な位置に配置されているか否かを示す配置情報を検出する検出手段としての機能を実現する。例えば、端末接続検出部２４０としては、携帯端末装置３と携帯端末接続装置２とが物理的に接触して配置された状態を充電及び通信接続可能な位置に配置されているものとするとき、当該物理的な接触状態を検出する物理的スイッチを挙げることができる。
【００３７】
本実施の形態において、配置情報としては、携帯端末装置３と携帯端末接続装置２とが充電及び通信接続可能な位置に配置されている状態をＯＮ、携帯端末装置３と携帯端末接続装置２とが充電及び通信接続可能な位置に配置されていない状態をＯＦＦ、として示すＯＮ／ＯＦＦ信号とする。
【００３８】
電力供給接点部２５０は、携帯端末装置３が備える電池３０を充電させる際に、携帯端末装置３と接続される接点であり、電源アダプタ２２を介して外部の電源又は電源２０から携帯端末装置３に電力を供給する。
【００３９】
ＲＦＩＤリーダ／ライタ２６０は、外部メモリ１に対して誘導電磁界又は電波を供給すると共に外部メモリ１のＲＦＩＤタグ１２０から端子情報又は識別情報を取得する情報取得手段としての機能を実現する。
【００４０】
外部メモリ用Ｉ／Ｆ２７１は、外部メモリ１の通信接続端子に低号する通信接続端子を有する外部メモリ接続手段としての機能を有し、切替部２７２により当該外部メモリ用Ｉ／Ｆ２７１が有する通信接続端子に関する端子情報が変更され、端子情報が変更された後、外部メモリ１と通信を行うための通信制御を行う。
【００４１】
切替部２７２は、ＣＰＵ２００から入力される端子情報に基づく指示に応じて、外部メモリ用Ｉ／Ｆ２７１が有する通信接続端子の端子情報を書き換える。例えば、ゲートアレイを用いて構成することができる。
【００４２】
携帯端末用Ｉ／Ｆ２８０は、端末収納部２１に収納された携帯端末装置３の後述するＩ／Ｆ３６０と接続され、外部メモリ１と携帯端末装置３との通信許可の判別結果や取得された識別情報を送信する携帯端末接続手段としての機能を有し、携帯端末装置３と通信を行うための通信制御を行う。
【００４３】
管理ＰＣ用Ｉ／Ｆ２９０は、所定の通信方式により有線又は無線、直接又はネットワークを介して接続される管理ＰＣ４と通信を行うための通信制御を行い、警報情報を管理ＰＣ４に送信する上位装置接続手段としての機能を有する。
【００４４】
携帯端末装置３は、ＣＰＵ３００、ＲＯＭ３１０、ＲＡＭ３２０、表示部３３０、入力部３４０、電力供給接点部３５０、Ｉ／Ｆ３６０を備え、各部は電気的に接続されており、電力供給接点部３５０を介して携帯端末接続装置２から電力が充電された電池３０からの電力供給を受けている。
【００４５】
ＣＰＵ３００は、ＲＯＭ３１０に記憶されている各種プログラムや各種データの中から指定されたプログラムやデータを読み出し、ＲＡＭ３２０内のワークエリアに展開し、上記プログラムとの協働によって各種処理を実行し、その処理結果をＲＡＭ３２０の所定の領域に格納するとともに、各部に創始して携帯端末装置３の動作全般を統括的に制御する。
【００４６】
ＣＰＵ３００は、携帯端末接続装置２から受信した端子情報の取得の可否に基づく通信許可の判別結果、識別情報、に基づいて、携帯端末接続装置２を介した外部メモリ１との通信を行う通信制御手段としての機能を実現する。
【００４７】
また、携帯端末接続装置２からＩ／Ｆ３６０を介して受信する警報情報に応じた画面を表示部３３０に表示させる。
【００４８】
ＲＯＭ３１０は、ＣＰＵ３００により実行される各種プログラムや各種プログラムの実行に必要なパラメータや各種データを記憶している。なお、ＲＯＭ３１０は読出し専用の記憶媒体であれば良く、磁気的、光学的記憶媒体又は半導体メモリで構成されていても良い。
【００４９】
また、ＲＯＭ３１０は、データ送受信可否設定テーブルを記憶している。データ送受信可否設定テーブルは、複数の識別情報と、当該識別情報に対して当該識別情報を有する外部メモリ１とのデータの送受信を許可するか否かが設定されているテーブルである。
【００５０】
ＲＡＭ３２０は、ＣＰＵ３００により実行される各種プログラム及びこれらプログラムに係わるパラメータやデータを一時的に記憶するワークエリアを形成する。
【００５１】
表示部３３０は、ＣＲＴ（Cathode Ray Tube）、ＬＣＤ（Liquid Crystal Display）又は有機ＥＬ（Electronic Luminescent）素子を用いた等の表示画面を備え、ＣＰＵ３００から入力される表示制御信号に従って所要の表示処理を行う。
【００５２】
入力部３４０は、表示部３３０の表示画面を覆うように設けられたタッチパネルや、テンキー、メニューキー、十字キー、決定キー及び各種機能キー等のハードキーを有し、タッチパネルやハードキーが押下されることにより生じる操作信号をＣＰＵ３００に出力する。
【００５３】
電力供給接点部３５０は、電池３０を充電させる際に、携帯端末接続装置２と接続される接点であり、携帯端末接続装置２から供給される電力を電池３０に供給して充電させる。
【００５４】
Ｉ／Ｆ３６０は、携帯端末装置３を収納している携帯端末接続装置２の携帯端末用Ｉ／Ｆ２８０と接続され、携帯端末接続装置２と通信を行うための通信制御を行う。このＩ／Ｆ３６０は、電気的接続端子を有するコネクタを介して信号ラインを携帯端末用Ｉ／Ｆ２８０に接続して通信を行うものや、赤外線を用いて携帯端末用Ｉ／Ｆ２８０との光通信を行うものや、無線通信により携帯端末用Ｉ／Ｆ２８０との通信を行うものであってよい。
【００５５】
次に、本実施の形態の動作を説明する。
図３は、本実施の形態における外部メモリ確認処理を示すフローチャートである。
図３に示す外部メモリ確認処理は、携帯端末接続装置２において、携帯端末装置３から外部とデータ送受信を行う指示を受けた際、ＣＰＵ２００、ＲＯＭ２１０及びＲＡＭ２２０の協働によるソフトウエア処理により実現される処理である。
【００５６】
まず、外部メモリ１の通信接続端子が外部メモリ用Ｉ／Ｆ２７１の通信接続端子と接続されたか否かが判別され（ステップＳ１）、外部メモリ１の通信接続端子が接続されていないと判別された場合（ステップＳ１；Ｎｏ）、ステップＳ４に進む。
【００５７】
外部メモリ１の通信接続端子が外部メモリ用Ｉ／Ｆ２７１の通信接続端子と接続されていると判別された場合（ステップＳ１；Ｙｅｓ）、ＲＦＩＤリーダ／ライタ２６０により外部メモリ１のＲＦＩＤタグ１２０から端子情報が取得され（ステップＳ２）、取得された端子情報に関する異常の有無が判別される（ステップＳ３）。端子情報に関する異常の有無の判別とは、例えば、端子情報の有無、言語の確認、データの配列確認等である。
【００５８】
端子情報に関する異常有りと判別された場合（ステップＳ３；Ｎｏ）、又は、ステップＳ１；Ｎｏの場合、後述するデータ送受信処理の実行に拘わる動作のエラーの有無を示すエラーフラグがＯＮに設定され、当該エラーフラグが携帯端末装置３に送信され（ステップＳ４）、本処理が終了される。
【００５９】
端子情報に関する異常無しと判別された場合（ステップＳ３；Ｙｅｓ）、取得された端子情報に応じて、外部メモリ用Ｉ／Ｆ２７１の通信接続端子の端子情報が切替部２７２により変更され（ステップＳ５）、本処理は終了される。
【００６０】
即ち、本処理における端子情報の取得の可否に基づいて設定されるエラーフラグが、外部メモリ１と携帯端末装置３との通信許可の判別結果である。
【００６１】
図４は、本実施の形態における識別情報取得処理を示すフローチャートである。
図４に示す識別情報取得処理は、携帯端末接続装置２において、携帯端末装置３から外部メモリ１の識別情報の取得指示を受けた際、ＣＰＵ２００、ＲＯＭ２１０及びＲＡＭ２２０の協働によるソフトウエア処理により実現される処理である。
【００６２】
ＲＦＩＤリーダ／ライタ２６０により外部メモリ１のＲＦＩＤタグ１２０から識別情報の取得処理が実行され（ステップＳ１１）、ステップＳ１１において識別情報が取得されたか否か、即ち、外部メモリ１のＲＦＩＤタグ１２０内に識別情報が記憶されているか否かが判別される（ステップＳ１２）。
【００６３】
外部メモリ１のＲＦＩＤタグ１２０から識別情報が取得されたと判別された場合、即ち、外部メモリ１のＲＦＩＤタグ１２０内に識別情報が記憶されていると判別された場合（ステップＳ１２；Ｎｏ）、外部メモリ１の認証に用いられる情報（以下、認証キーａという。）として、取得された識別番号が設定され、当該認証キーａが携帯端末装置３に送信され（ステップＳ１３）、本処理が終了される。
【００６４】
外部メモリ１のＲＦＩＤタグ１２０から識別情報が取得されていないと判別された場合、即ち、外部メモリ１のＲＦＩＤタグ１２０内に識別情報が記憶されていないと判別された場合（ステップＳ１２；Ｙｅｓ）、認証キーａとして、認証キー無しを示す０が設定され、当該認証キーａが携帯端末装置３に送信され（ステップＳ１４）、本処理が終了される。
【００６５】
識別情報取得処理によれば、外部メモリ１を個別に識別するための識別情報を携帯端末装置３に送信でき、携帯端末装置３は、受信した識別情報に基づいて外部メモリ１との通信を行うことができるため、外部メモリ毎に携帯端末装置とのデータ送受信の可否を決定し得ることができる。
【００６６】
図５は、本実施の形態におけるデータ送受信処理を示すフローチャートである。
図５に示すデータ送受信処理は、携帯端末装置３において、携帯端末装置３が携帯端末接続装置２と通信可能な位置に配置された後、即ち、端末接続検出部２４０からＯＮの配置情報が検出された後、ＣＰＵ３００、ＲＯＭ３１０及びＲＡＭ３２０の協働によるソフトウエア処理により実現される処理である。
【００６７】
まず、携帯端末装置３から携帯端末接続装置２に対して外部メモリ確認処理の実行指示が送信され、携帯端末接続装置２により前述した図３に示す外部メモリ確認処理が実行される（ステップＳ２１）。
【００６８】
外部メモリ確認処理が実行された後、携帯端末接続装置２から受信されたエラーフラグはＯＦＦであるか否かが判別される（ステップＳ２２）。
【００６９】
エラーフラグがＯＦＦでない、即ちＯＮであると判別された場合（ステップＳ２２；Ｎｏ）、データ送受信処理の実行に拘わる動作にエラー有りと判別され（ステップＳ２３）、本処理は終了される。なお、エラー有りと判別された場合（ステップＳ２３）、携帯端末装置３の表示部３３０にエラー有りを示す画面が表示されることが好ましい。
【００７０】
エラーフラグがＯＦＦであると判別された場合（ステップＳ２２；Ｙｅｓ）、データ送受信処理の実行に拘わる動作にエラー無しと判別され、携帯端末装置３から携帯端末接続装置２に対して識別情報取得処理の実行指示が送信され、携帯端末接続装置２により前述した図４に示す識別情報取得処理が実行される（ステップＳ２４）。
【００７１】
識別情報取得処理が実行された後、携帯端末接続装置２から受信された認証キーａは０であるか否かが判別され（ステップＳ２５）、認証キーａが０であると判別された場合（ステップＳ２５；Ｙｅｓ）、ステップＳ２７に進む。
【００７２】
認証キーａが０でないと判別された場合（ステップＳ２５；Ｎｏ）、携帯端末装置３内のＲＯＭ３１０内のデータ送受信可否設定テーブルが参照され、認証キーａに設定された識別情報に対応するデータの送受信の可否設定に基づいて、当該外部メモリ１とのデータ送受信の可否が判別される（ステップＳ２６）。
【００７３】
認証キーａに設定された識別情報に対応するデータの送受信の可否設定が不可である場合（ステップＳ２６；Ｎｏ）、ステップＳ２３に進む。
【００７４】
認証キーａに設定された識別情報に対応するデータの送受信の可否設定が可である場合（ステップＳ２６；Ｙｅｓ）、入力部３４０を介して入力された操作信号はデータ送信処理を示しているか又はデータ受信処理を示しているかが判別される（ステップＳ２７）。
【００７５】
入力部３４０を介して入力された操作信号はデータ送信処理を示していると判別された場合（ステップＳ２７；送信）、携帯端末装置３内のデータが携帯端末接続装置２を介して外部メモリ１に送信されるデータ送信処理が実行され（ステップＳ２８）、本処理は終了される。
【００７６】
入力部３４０を介して入力された操作信号はデータ受信処理を示していると判別された場合（ステップＳ２７；受信）、外部メモリ１内のデータが携帯端末接続装置２を介して携帯端末装置３に受信されるデータ受信処理が実行され（ステップＳ２９）、受信されたデータがＲＡＭ３２０内に保存され（ステップＳ３０）、本処理は終了される。
【００７７】
図６は、本実施の形態における盗難防止処理を示すフローチャートである。
図６に示す盗難防止処理は、携帯端末接続装置２において、携帯端末装置３が携帯端末接続装置２に充電及び通信接続可能な位置に配置され、端末接続検出部２４０からＯＮの配置情報が検出された後、ＣＰＵ２００、ＲＯＭ２１０及びＲＡＭ２２０の協働によるソフトウエア処理により実現される処理である。
【００７８】
まず、端末接続検出部２４０により検出されている配置情報がＯＮからＯＦＦに切り替わったか否か、即ち、携帯端末装置３が携帯端末接続装置２に充電及び通信接続可能な位置に配置された状態から充電及び通信接続可能な位置に配置されていない状態に変化したか否かが判別され（ステップＳ４１）、配置情報がＯＮからＯＦＦに切り替わっていないと判別された場合（ステップＳ４１；Ｎｏ）、配置情報がＯＮからＯＦＦに切り替わるまで待機する（ステップＳ４１に戻る）。
【００７９】
配置情報がＯＮからＯＦＦに切り替わったと判別された場合（ステップＳ４１；Ｙｅｓ）、外部メモリ１の通信接続端子が外部メモリ用Ｉ／Ｆ２７１の通信接続端子と接続されているか否かが判別され（ステップＳ４２）、外部メモリ１の通信接続端子が接続されていないと判別された場合（ステップＳ４２；Ｎｏ）、ステップＳ４５に進む。
【００８０】
外部メモリ１の通信接続端子が外部メモリ用Ｉ／Ｆ２７１の通信接続端子と接続されていると判別された場合（ステップＳ４２；Ｙｅｓ）、ＲＦＩＤリーダ／ライタ２６０により外部メモリ１のＲＦＩＤタグ１２０から識別情報の取得処理が実行され（ステップＳ４３）、ステップＳ４３において識別情報が取得されたか否か、即ち、外部メモリ１のＲＦＩＤタグ１２０内に識別情報が記憶されているか否かが判別される（ステップＳ４４）。
【００８１】
外部メモリ１のＲＦＩＤタグ１２０から識別情報が取得されたと判別された場合、即ち、外部メモリ１のＲＦＩＤタグ１２０内に識別情報が記憶されていると判別された場合（ステップＳ４４；Ｎｏ）、本処理は終了され、携帯端末装置３は携帯端末接続装置２の端末収納部２１から持ち出し可能な状態となる。
【００８２】
外部メモリ１のＲＦＩＤタグ１２０から識別情報が取得されていないと判別された場合、即ち、外部メモリ１のＲＦＩＤタグ１２０内に識別情報が記憶されていないと判別された場合（ステップＳ４４；Ｙｅｓ）、ブザー２３０により警報音が予め決められた時間(例えば１分間)鳴音され、即ち、ブザー２３０から警報音が予め決められた時間にわたって発生され（ステップＳ４５）、更に、携帯端末接続装置２に収納されていた携帯端末装置３が不正に持ち出された恐れ（盗難された恐れ）がある旨を示す警報情報が管理ＰＣ用Ｉ／Ｆ２９０を介して管理ＰＣ４に送信され（ステップＳ４６）、本処理は終了される。
【００８３】
即ち、盗難防止処理は、識別情報を有する外部メモリが携帯端末接続装置２に接続されている状態なければ、携帯端末接続装置２の端末収納部２１に収納された携帯端末装置３の持ち出しを許可せず、不正に持ち出された恐れありと判別して警報音や警報情報をユーザに報知して、盗難の防止を図る処理である。
【００８４】
以上のように、本実施の形態によれば、通信ケーブルを介さずに携帯端末装置３と外部メモリ１とが接続されるため、ユーザにとって煩雑な作業であった通信ケーブルの接続作業が必要なくなり、通信プロトコルに起因するデータ送受信に要する時間も低減される。
【００８５】
更に、通信接続端子の形状が携帯端末接続装置２の通信接続端子の形状と合致する外部メモリ１であっても、端子情報を有する外部メモリ１のみ携帯端末装置３との通信許可が得られることから、携帯端末装置３内のデータが不特定の外部メモリに送信されることを防ぐことができる。また、通信許可の判別結果に基づいて、携帯端末装置３は携帯端末接続装置２を介して外部メモリ１との通信を行うことができる。
【００８６】
また、配置情報と識別情報の取得の可否とに基づいて、携帯端末装置３が盗難されたか否かが判別でき、当該判別結果に応じて警報音が鳴音されることによりユーザに報知することができるため、携帯端末装置３が容易に盗難される危険性を低減できる。また、盗難されか否かの判別結果に基づく警報情報を、携帯端末装置３を統括的に管理する上位装置としての管理ＰＣ４に送信することができるため、ユーザが携帯端末装置３の近辺にいなくとも、管理ＰＣ４側において携帯端末装置３の盗難の有無を認識することができる。
【００８７】
従って、データに対するセキュリティが向上させつつ、携帯端末装置３とのデータ送受信を行う際のユーザの使い勝手を向上し得ることができる。
【図面の簡単な説明】
【００８８】
【図１】本実施の形態における通信システムＡの概観イメージ図ある。
【図２】通信システムＡを構成する各装置の制御ブロック構成図である。
【図３】本実施の形態における外部メモリ確認処理のフローチャートである。
【図４】本実施の形態における識別情報取得処理のフローチャートである。
【図５】本実施の形態におけるデータ送受信処理のフローチャートである。
【図６】本実施の形態における盗難防止処理のフローチャートである。
【符号の説明】
【００８９】
１  外部メモリ
２  携帯端末接続装置
３  携帯端末装置
４  管理ＰＣ
２０  電源
２１  端末収納部
２２  電源アダプタ
３０  電池
１００  ＣＰＵ
１１０  ＦＲＯＭ
１２０  ＲＦＩＤタグ
１３０  Ｉ／Ｆ
２００  ＣＰＵ
２１０  ＲＯＭ
２２０  ＲＡＭ
２３０  ブザー
２４０  端末接続検出部
２５０  電力供給接点部
２６０  ＲＦＩＤリーダ／ライタ
２７１  外部メモリ用Ｉ／Ｆ
２７２  切替部
２８０  携帯端末用Ｉ／Ｆ
２９０  管理ＰＣ用Ｉ／Ｆ
３００  ＣＰＵ
３１０  ＲＯＭ
３２０  ＲＡＭ
３３０  表示部
３４０  入力部
３５０  電力供給接点部
３６０  Ｉ／Ｆ
ａ  認証キー
Ａ  通信システム
【図１】
2008065615.tif 000003
【図２】
2008065615.tif 000004
【図３】
2008065615.tif 000005
【図４】
2008065615.tif 000006
【図５】
2008065615.tif 000007
【図６】
2008065615.tif 000008